(57)【要約】  【課題】装飾性を損なうことなく文字・図形情報を付加することが可能な装飾品を提供する。  【解決手段】装飾品１は、線状の装飾パーツ１０で構成される。装飾パーツ１０は、金、銀等の貴金属製であり、複数箇所で屈曲あるいは湾曲した立体構造を有している。この立体構造は、所定の視点２から所定のスクリーン３に装飾品１を投影した場合において、視点２に対して装飾品１を所定の向きに配置した場合にのみ、スクリーン３上の影４に、所定の文字・図形情報が現れるように設計されている。【選択図】図２
2018102706.tif 000002
【特許請求の範囲】
【請求項１】
複数箇所で屈曲あるいは湾曲して立体構造を形成する線状の装飾パーツで構成され、
所定の視点から所定のスクリーンに投影した場合において、当該視点に対して所定の向きに配置された場合に、当該スクリーン上の影に、所定の文字・図形情報を表すパターンが含まれる
ことを特徴とする装飾品。
【請求項２】
請求項１に記載の装飾品であって、
前記所定の視点に対して前記所定の向きと異なる所定の向きに配置された場合に、前記所定の視点から前記所定のスクリーン上に投影される影に、前記所定の文字・図形情報とは異なる所定の文字・図形情報を表すパターンが含まれる
ことを特徴とする装飾品。
【発明の詳細な説明】
【技術分野】
【０００１】
本発明は、ペンダントトップ、イヤリングトップ、ピアスチャーム等、アクセサリに好適な装飾品に関する。
【背景技術】
【０００２】
従来、ペンダントトップ、イヤリングトップ、ピアスチャーム等として、宝石、貴金属等を用いた様々な装飾品が用いられている。例えば、特許文献１には、長時間持続して自在な方向に動きやすくすることで、宝飾部材の反射や屈折方向を繰り返し変化させて装飾的演出性を高めた装飾品が開示されている。
【先行技術文献】
【特許文献】
【０００３】
【特許文献１】特開２０１６−２０２３３９号公報
【発明の概要】
【発明が解決しようとする課題】
【０００４】
装飾品は、プレゼント、記念品等として用いられることが多い。このような場合に、メッセージ、記念日、マーク等の文字・図形情報を装飾品に刻印することはあるが、装飾的演出性を損なうことなく文字・図形情報を装飾品に付加することについて、従来の装飾品では考慮されていなかった。
【０００５】
本発明は、上記事情に鑑みてなされたものであり、その目的は、装飾性を損なうことなく文字・図形情報を付加することが可能な装飾品を提供することにある。
【課題を解決するための手段】
【０００６】
上記課題を解決するために、本発明の装飾品は、複数箇所で屈曲あるいは湾曲して立体構造を形成する線状の装飾パーツで構成される。そして、所定の視点に対して所定の向きに装飾品が配置された場合に、この視点から所定のスクリーン上に投影された影に、所定の文字・図形情報を表すパターンが含まれるように、装飾パーツの立体構造を設計した。
【発明の効果】
【０００７】
本発明では、文字・図形情報を装飾品に刻印しなくても、所定の視点に対して所定の向きで装飾品を配置して、この視点から所定のスクリーンに装飾品を投影することにより、スクリーン上の装飾品の影で文字・図形情報を表すことができる。したがって、本発明によれば、装飾品の装飾性を損なうことなく文字・図形情報を装飾品に付加することができる。また、この装飾品を、ペンダントトップ、イヤリングトップ、ピアスチャーム等、姿勢が変化するアクセサリパーツとして用いることで、視点に対する装飾品の向きが条件に合致したときに、その影に所定の文字・図形情報が現れることとなり、文字・図形情報の演出効果を高めることができる。
【図面の簡単な説明】
【０００８】
【図１】図１（Ａ）、図１（Ｂ）、および図１（Ｃ）は、本発明の一実施の形態に係る装飾品１の正面図、上面図、および左側面図である。
【図２】図２は、装飾品１の構造的な特徴を説明するための図である。
【図３】図３（Ａ）、図３（Ｂ）、および図３（Ｃ）は、視点２からスクリーン３に装飾品１を投影したときに形成されるスクリーン３上の影４を説明するための図である。
【図４】図４は、装飾品１の製造方法を説明するためのフロー図である。
【発明を実施するための形態】
【０００９】
以下に、本発明の実施の形態について説明する。
【００１０】
図１（Ａ）、図１（Ｂ）、および図１（Ｃ）は、本発明の一実施の形態に係る装飾品１の正面図、上面図、および左側面図である。また、図２は、装飾品１の構造的な特徴を説明するための図である。
【００１１】
本実施の形態に係る装飾品１は、ペンダントトップ、イヤリングトップ、ピアスチャーム等、自在に揺れ動く飾りとして各種アクセサリに揺動可能に取り付けられるものであり、図１に示すように、線状の装飾パーツ１０で構成される。装飾パーツ１０は、金、銀等の貴金属製であり、複数箇所で屈曲あるいは湾曲して立体構造を形成している。この立体構造は、図２に示すように、所定の視点２から所定のスクリーン３に装飾品１（装飾パーツ１０）を投影した場合、スクリーン３に対して装飾品１を所定の向きに配置したときにのみ、スクリーン３上の影４の全体または一部が所定の文字・図形情報を表すように設計されている。
【００１２】
図３（Ａ）、図３（Ｂ）、および図３（Ｃ）は、視点２からスクリーン３に装飾品１を投影したときに形成されるスクリーン３上の影４を説明するための図であり、図３（Ａ）は、視点２に正面を向けて配置された装飾品１の影４の例、図３（Ｂ）は、視点２に上面を向けて配置された装飾品１の影４の例、そして、図３（Ｃ）は、視点２に左側面を向けて配置された装飾品１の影４の例をそれぞれ示している。
【００１３】
本実施の形態では、視点２に正面を向けて装飾品１を配置した場合にのみ、図３（Ａ）に示すように、装飾品１の影４が文字情報「Ｌｏｖｅ」を表し、視点２に上面を向けて装飾品１を配置した場合、および視点２に左側面を向けて装飾品１を配置した場合は、図３（Ｂ）および図３（Ｃ）に示すように、装飾品１の影４は文字情報あるいは意味のある図形情報を表さない。このため、装飾品１を揺動可能に取り付けたアクセサリを装着した場合、装着者の動き等に合わせてランダムに揺れ動く装飾品１自体の美しさを楽しむだけでなく、例えば、衣類、肌等に投影される影４のパターン、あるいは、装飾品１の外形に、偶発的に、装飾品１の立体構造に隠された文字・図形情報が現れるといった視覚的な演出効果を得ることができる。
【００１４】
つぎに、上記構成の装飾品１の製造方法について説明する。
【００１５】
図４は、装飾品１の製造方法を説明するためのフロー図である。
【００１６】
（１）３Ｄモデルデータの作成（Ｓ１）
ＣＡＤソフトを用いて、３Ｄビューの視点切替え機能により様々な方向から確認しながら、視点２からスクリーン３に装飾品１を投影した場合に、視点２に対して所定の向きに装飾品１を配置した場合にのみ、スクリーン３上の影４が所定の文字・図形情報を表すように、装飾品１の３Ｄモデルデータを作成する。
【００１７】
（２）原型の作成（Ｓ２）
３Ｄプリンタを用いてＣＡＤソフトで作成した３Ｄモデルデータから装飾品１の原型を作製する。
【００１８】
（３）鋳型の作成（Ｓ３）
３Ｄプリンタで作成された原型を使って鋳型（ゴム型）を作製する。
【００１９】
（４）装飾品１の鋳造（Ｓ４）
遠心力を利用して金、銀等の溶融貴金属を鋳型に流し込み、装飾品１を鋳造する。
【００２０】
（５）装飾品１の研磨（Ｓ５）
鋳型を用いて鋳造された装飾品１を研磨して光沢が生じるように仕上げる。
【００２１】
以上、本発明の一実施の形態について説明した。
【００２２】
本実施の形態において、装飾品１は、複数箇所で屈曲あるいは湾曲して立体構造を形成する線状の装飾パーツ１０で構成される。そして、視点２からスクリーン３に装飾品１を投影した場合において、視点２に対して所定の向きに装飾品１を配置したときに、スクリーン３上の影４が所定の文字・図形情報を表すように、装飾パーツ１０の立体構造を設計している。
【００２３】
したがって、本実施の形態によれば、文字・図形情報を装飾品１に刻印しなくても、視点２に対して所定の向きに装飾品１を配置して、視点２からスクリーン３に装飾品１を投影することにより、スクリーン３上の装飾品１の影４で文字・図形情報を表すことができる。このため、装飾品１自体の装飾性を損なうことなく、文字・図形情報を装飾品１に付加することができる。また、この装飾品１を、ペンダントトップ、イヤリングトップ、ピアスチャーム等、自在に揺れ動く飾りとして用いることで、視点２に対する装飾品１の向きが条件に例えば偶然合致したときに、その影４に、装飾品１の立体構造に隠された所定の文字・図形情報が現れることとなり、視覚的な演出効果をより高めることができる。
【００２４】
なお、本発明は、上記の実施の形態に限定されるものではなく、その要旨の範囲内で数々の変形が可能である。
【００２５】
例えば、上記の実施の形態では、視点２に正面を向けて装飾品１を配置したときにのみ、視点２からスクリーン３に投影された影４の二次元パターンが全体として文字情報「Ｌｏｖｅ」を表すように、線状の装飾パーツ１０の三次元構造を設計している（図３参照）。しかし、本発明はこれに限定されない。視点２に対して所定の向きに装飾品１を配置した場合に、視点２からスクリーン３上に投影された影４の二次元パターンの少なくとも一部が所定の文字・図形情報を表すように、装飾パーツ１０の立体構造を設計したものであればよい。
【００２６】
また、装飾品１が視点２に対して上述の所定の向き（第一の向き）と異なる所定の向き（第二の向き）に配置された場合には、視点２に対して第一の向きに配置された装飾品１の影４が表す文字・図形情報（第一の文字・図形情報）とは異なる所定の文字・図形情報（第二の文字情報）を表す影４がスクリーン３に投影されるように、装飾パーツ１０の立体構造を設計してもよい。
【００２７】
例えば、視点２に正面（第一の向き）を向けて装飾品１を配置した場合には、上述の文字情報「Ｌｏｖｅ」（第一の文字・図形情報）を表す影４がスクリーン３上に投影され、視点２に左側面（第二の向き）を向けて装飾品１を配置した場合には、第一の文字・図形情報「Ｌｏｖｅ」（第一の文字・図形情報）とは異なるハート型の図形情報（第二の文字・図形情報）を含む影４がスクリーン３上に投影されるように、装飾パーツ１０の立体構造を設計してもよい。
【００２８】
また、上記の実施の形態では、装着者の動き等に合わせてランダムに揺れ動く飾りとして装飾品１を用いる場合を例に挙げたが、装飾品１は、姿勢が変化する任意の飾りとして用いることができる。例えば、外力を受けて規則的に作動する飾りとしても用いることができる。
【符号の説明】
【００２９】
１：装飾品、  ２：視点、  ３：スクリーン、  ４：影、  １０：装飾パーツ
【図１】
2018102706.tif 000003
【図２】
2018102706.tif 000004
【図３】
2018102706.tif 000005
【図４】
2018102706.tif 000006